(57)【要約】【課題】モジュール接続方式は修理点検を基本ユニット単位で行えることによる危険分散をメリットとしているが、主チリングユニットの事象に対し、危険分散のメリットが薄れるだけでなく、全ユニット停止が許されない環境において望ましくない。【解決手段】複数台のユニットと、該複数台のユニットに対応して設けられ、水温を検出する温度センサと、を備え、複数台のユニットは、温度センサの検出値を用いて水温制御を行うチリングユニットにおいて、複数台のユニットのうち、一のユニットが親ユニット、それ以外のユニットが子ユニットと設定され、親ユニットは、自身に対応して設けられた温度センサからの検出値を用いて自身又は子ユニットの制御を行い、該温度センサが故障した場合に、子ユニットに対応して設けられた温度センサからの検出値を用いて自身又は子ユニットの制御を行う。【選択図】  図２
2013178048.tif 000002
【特許請求の範囲】
【請求項１】
複数台のユニットと、
該複数台のユニットに対応して設けられ、水温を検出する温度センサと、を備え、
前記複数台のユニットは、前記温度センサの検出値を用いて水温制御を行うチリングユニットにおいて、
前記複数台のユニットのうち、一のユニットが親ユニット、それ以外のユニットが子ユニットと設定され、
前記親ユニットは、自身に対応して設けられた温度センサからの検出値を用いて自身又は前記子ユニットの制御を行い、該温度センサが故障した場合に、前記子ユニットに対応して設けられた温度センサからの検出値を用いて自身又は前記子ユニットの制御を行うことを特徴とするチリングユニット。
【請求項２】
請求項１に記載のチリングユニットにおいて、
前記親ユニットからの通信が途絶えた場合に、前記子ユニットの何れかが代わりに前記親ユニットとして機能し、その他の子ユニットを制御するとともに、該親ユニットは現在親ユニットとして機能していることを自身の表示部に表示することを特徴とするチリングユニット。
【請求項３】
請求項２に記載のチリングユニットにおいて、
前記子ユニットの何れかが代わりに前記親ユニットとして機能した場合に、前記通信が途絶えた親ユニットの再起動を行い、該親ユニットが復帰したら、該復帰した親ユニットが親ユニットとして機能することを特徴とするチリングユニット。
【発明の詳細な説明】
【技術分野】
【０００１】
同一水系統において複数台の基本ユニットを接続し、運転台数を管理する機構を具備するチリングユニットに関する。
【背景技術】
【０００２】
近年、チリングユニットに対しては、地球環境問題への対応として高効率化が求められている一方で、生産、流通コストの低減、リニューアル市場の増加に伴う省スペース化が要求されている。このようなニーズに応えるため、同一水系統に同一の基本ユニットを複数台接続することにより大容量化させ、その運転台数で容量制御するモジュール接続方式が一般的となっている。このようなモジュール型のチリングユニットにおいては、基本ユニットの１台、または基本ユニット外部に接続されたコントローラ通信を介して、ユニット本体の運転台数を管理する方式が一般的に用いられる。
【０００３】
たとえば特許文献１には、「連結式冷温水機のシステムにおいて、システム全体で効率のよい運転台数で冷温水機を運転すると共に、冷温水機の発停時における冷水、又は温水出口温度の変化の少ない安定した冷水又は温水を供給するために、冷温水配管を共通にした、複数の冷温水機３〜７を具備する連結式冷温水機の運転台数制御方法であって、冷温水機３〜７の連結数、冷水又は温水出口設定温度差、入口温度により冷温水機の最適運転台数を演算し、演算した冷温水機の最適運転台数と実際の運転台数の比較により、一定時間毎に運転する冷温水機を１台ずつ増減させて運転する。」と記載されている（要約参照）。
【先行技術文献】
【特許文献】
【０００４】
【特許文献１】特開２００４−１４４４５７号公報
【発明の概要】
【発明が解決しようとする課題】
【０００５】
前記チリングユニットにおいては運転台数管理をするユニットを主チリングユニット、主チリングユニットからの運転指令に準ずるユニットを従チリングユニットとし、主／従チリングユニット間の指令応答通信、及び主チリングユニットに搭載される運転台数を管理するのに必要なセンサにより運転台数管理機能が成立している。
【０００６】
現状主チリングユニットの通信が途絶える、また主チリングユニットが搭載する前記センサが故障した場合、主チリングユニットは運転台数管理機能が果たせなくなりモジュール接続している基本ユニットを全停止させる。
【０００７】
モジュール接続方式は修理点検を基本ユニット単位で行えることによる危険分散をメリットとしているが、主チリングユニットの前記事象に対し、危険分散のメリットが薄れるだけでなく、全ユニット停止が許されない環境においては望ましくない。そこで、本発明は、複数台のユニットに対応して設けられる水温を検出する温度センサが故障した場合であっても運転継続を行うことができるチリングユニットを提供することを目的とする。
【課題を解決するための手段】
【０００８】
上記課題を解決するために、例えば特許請求の範囲に記載の構成を採用する。  
本願は上記課題を解決する手段を複数含んでいるが、その一例を挙げるならば、複数台のユニットと、該複数台のユニットに対応して設けられ、水温を検出する温度センサと、を備え、前記複数台のユニットは、前記温度センサの検出値を用いて水温制御を行うチリングユニットにおいて、前記複数台のユニットのうち、一のユニットが親ユニット、それ以外のユニットが子ユニットと設定され、前記親ユニットは、自身に対応して設けられた温度センサからの検出値を用いて自身又は前記子ユニットの制御を行い、該温度センサが故障した場合に、前記子ユニットに対応して設けられた温度センサからの検出値を用いて自身又は前記子ユニットの制御を行うことを特徴とする。
【０００９】
また、前記親ユニットからの通信が途絶えた場合に、前記子ユニットの何れかが代わりに前記親ユニットとして機能し、その他の子ユニットを制御するとともに、該親ユニットは現在親ユニットとして機能していることを自身の表示部に表示することが望ましい。さらに、前記子ユニットの何れかが代わりに前記親ユニットとして機能した場合に、前記通信が途絶えた親ユニットの再起動を行い、該親ユニットが復帰したら、該復帰した親ユニットが親ユニットとして機能することが望ましい。
【発明の効果】
【００１０】
本発明によれば、複数台のユニットに対応して設けられる水温を検出する温度センサが故障した場合であっても運転継続を行うことができるチリングユニットを提供することができる。
【００１１】
上記した以外の課題、構成及び効果は、以下の実施形態の説明により明らかにされる。
【図面の簡単な説明】
【００１２】
【図１】モジュール型チリングユニットの機能概念図。
【図２】主チリングユニット通信途絶時  主／従チリングユニット継承  シーケンス図。
【図３】主チリングユニット通信途絶〜正常時  主チリングユニット復帰  シーケンス図。
【図４】主チリングユニットセンサ故障時  シーケンス図。
【発明を実施するための形態】
【００１３】
以下、本発明の実施例１を図面を用いて説明する。  
【実施例１】
【００１４】
図１は、本発明のモジュール型チリングユニットの機能概念図である。主チリングユニット１００、従チリングユニット２００、従チリングユニット３００は伝送線１０で接続されている。前記チリングユニットは制御装置１１０内に電文を送受信する伝送回路１２０、ユニット毎に任意の機械番号を付けられる機械番号回路１４０、同一水配管２０に接続された運転台数管理用センサ１５０・１６０・１７０、前記回路、センサの入出力を持つ中央演算装置１３０を持つ。
【００１５】
前記ユニット内の制御装置１１０は伝送回路１２０、中央演算装置１３０によって電文の送受信を可能とする機構を持つ。前記ユニットは運転台数管理を行うために伝送線１０で接続されている主／従チリングユニット間で一定周期毎に電文の授受を行う。従チリングユニットは主チリングユニットからの電文受信間隔を監視する機構を持ち、受信間隔が一定時間を超えた時に主チリングユニットの通信が途絶えたことを認識できる。
【００１６】
次に通信途絶から主チリングユニット機能継承までの流れを図２を用いて説明する。前記主チリングユニット通信の途絶を認識すると、各従チリングユニットは継承優先度の確保のため、自身の機械番号×一定時間待機する。待機時間経過と供に継承シーケンスに移行し、接続しているユニットに主チリングユニット継承電文Ａ２０を送信することにより主チリングユニットを継承する。待機時間経過待ちユニットは継承電文Ａ２０を受信することにより、自ユニット以外に優先度の高い継承ユニットの存在を認識し、待機中状態を解除し従チリングユニット状態を継続する。
【００１７】
新主チリングユニットは自身の運転台数管理用センサの値を用い、運転台数管理を継続的に実施する。以上に説明したように、本実施例のチリングユニットは、複数台のユニット（１００、２００、３００）と、該複数台のユニット（１００、２００、３００）に対応して設けられ、水温を検出する温度センサ（１５０、１６０、１７０）と、を備え、複数台のユニット（１００、２００、３００）は、温度センサ（１５０、１６０、１７０）の検出値を用いて水温制御を行う。そして、複数台のユニット（１００、２００、３００）のうち、一のユニットが親ユニット（１００）、それ以外のユニットが子ユニット（２００、３００）と設定され、親ユニット（１００）は、自身に対応して設けられた温度センサ（１５０）からの検出値を用いて自身（１００）又は前記子ユニット（２００、３００）の制御を行い、該温度センサ（１５０）が故障した場合に、前記子ユニット（２００、３００）に対応して設けられた温度センサ（１６０、１７０）からの検出値を用いて自身（１００）又は前記子ユニット（２００、３００）の制御を行うものである。
【００１８】
そして、親ユニット（１００）からの通信が途絶えた場合に、子ユニット（２００、３００）の何れかが代わりに親ユニット（たとえば２００）として機能し、自身（２００）又はその他の子ユニット（３００）を制御するとともに、該親ユニット（２００）は現在親ユニットとして機能していることを自身の表示部に表示することがメンテナンス性向上において望ましい。
【００１９】
次に元主チリングユニットが現主チリングユニットに復帰する流れを図３を用いて説明する。元主チリングユニットは通信異常認識後、復帰通知電文Ａ１０を一定周期毎に送信し続ける。通信状態が正常になることにより、現主チリングユニットは復帰通知電文Ａ１０を受信することが可能になる。復帰通知電文を受信後、現主チリングユニットは元主チリングユニットを復帰させるべく、継承放棄電文Ａ２１を元主チリングユニットに対し送信する。元主チリングユニットは継承放棄電文Ａ２１を受信すると、現主チリングユニットに復帰するため、主チリングユニット継承電文Ａ２０を送信し、現主チリングユニットに復帰することが可能となる。
【００２０】
以上に説明したように、子ユニット（２００、３００）の何れかが代わりに親ユニット（たとえば２００）として機能した場合に、通信が途絶えた親ユニット（１００）の再起動を行い、該親ユニット（１００）が復帰したら、該復帰した親ユニット（１００）が親ユニットとして機能するものである。
【００２１】
本実施例により主チリングユニット１００による通信異常時に全ユニット停止、また使用者が主／従チリングユニットの設定、配線を手動で変更することなく、サービスマンが訪れるまで、継続的に運転台数管理機能が維持できる効果がある。
【実施例２】
【００２２】
以下、本発明の実施例２を図３を用いて説明する。  
従チリングユニットは定期的に運転管理用センサ値通知電文Ａ３０を主チリングユニットに対し送信する。
【００２３】
主チリングユニットは自身に搭載される運転管理用センサ故障以降、前記電文Ａ３０にて通知された運転管理用センサ値を基に接続台数分による算術平均値を算出し、その結果を運転管理用センサ値として扱う。
【００２４】
本実施例により主チリングユニット１００に搭載された運転管理用センサ１５０が故障した際にサービスマンが訪れる必要がなく、またモジュール接続されている基本ユニット数を減らさずに安定的な能力発揮が可能となる効果がある。
【００２５】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００２６】
１０  伝送線
２０  水配管
１００  主チリングユニット
１１０  制御装置
１２０  伝送回路
１３０  中央演算装置
１４０  機械番号回路
１５０、１６０、１７０  運転台数管理用センサ
２００、３００  従チリングユニット
Ａ１０  復帰通知電文
Ａ２０  継承電文
Ａ２１  継承放棄電文
Ａ３０  運転管理用センサ値通知電文
【図１】
2013178048.tif 000003
【図２】
2013178048.tif 000004
【図３】
2013178048.tif 000005
【図４】
2013178048.tif 000006